(57)【要約】      （修正有）【課題】ガス遮断弁において、弁駆動部の駆動軸と弁体部の従動軸との連結忘れがあっても弁駆動部により弁体部の遮断弁を回転できるようにすること。【解決手段】ボールバルブ３６の従動軸４の端部に噛み合い部４１を形成する。従動軸４の噛み合い部４１は駆動軸７側に突出する凸部とする。弁駆動部２の駆動軸７の端部に噛み合い部７１を形成する。駆動軸７の噛み合い部７１は軸Ｌと直交する方向の角溝とする。弁駆動部２により駆動軸７が回転し、駆動軸７の噛み合い部７１と従動軸４の噛み合い部４１とを嵌合させる。駆動軸７に対して従動軸を連結させてボールバルブ３６を開閉する。【選択図】図１
2010169136.tif 000002
【特許請求の範囲】
【請求項１】
ガス配管に接続されてガスの供給及び遮断を行う遮断弁を内蔵した弁体部と、該弁体部の遮断弁を駆動する駆動機構を内蔵した弁駆動部とを備えたガス遮断弁であって、
前記弁体部に内蔵された前記遮断弁の従動軸が該弁体部の外部に露出され、
前記弁駆動部には該従動軸を駆動する前記駆動機構の駆動軸が該従動軸と同軸に設けられ、
前記駆動軸と前記従動軸との端部に、該駆動軸及び従動軸の相対的な所定の回転位置にて軸方向に嵌合及び離脱が可能な噛み合い部が形成されるとともに、該噛み合い部が嵌合する方向に前記従動軸及び／または前記駆動軸を付勢する付勢手段を備えたことを特徴とするガス遮断弁。
【発明の詳細な説明】
【技術分野】
【０００１】
本発明は、ガス遮断弁に係り、具体的には、ガス漏れなどの異常が発生した場合にガスの供給を遮断するガス遮断弁に関する。
【背景技術】
【０００２】
従来、ガス遮断弁は、機能を保持するために一定期間ごとに交換あるいは保守点検することが必要となる。この交換及び点検作業時には、例えば、ガス管からハウジングごとガス遮断弁をそっくり取り外した後、交換するガス遮断弁のハウジングをガス配管に接続するようにしている。しかし、ハウジングのフランジ接続の取り外し作業及び再取付け作業のために、ガス遮断弁の交換作業の作業性が悪く、ガス供給を長時間止めなければならないなどの問題がある。特に、ガス漏れなどの異常を検知する圧力センサがハウジングに取り付けている場合は、圧力センサの交換のためにハウジングごと取り外すのを余儀なくされる。
【０００３】
そこで、例えば特開２００７−２７０９５７号公報（特許文献１）に、弁駆動ユニット内に圧力センサを内蔵し、ハウジングをガス管に取り付けたまま、弁駆動ユニットを取り外しできるようにして、交換等の作業を簡便化したガス遮断弁が開示されている。
【０００４】
ここで特許文献１のガス遮断弁では、弁駆動ユニットを取り外すと、弁体もガス配管から取り外されてしまうので、この弁駆動ユニットを取り外すときはガス配管のガスを元から遮断しておく必要がある。これに対して、ガス配管に接続されてガスの供給及び遮断を行う遮断弁を内蔵した弁体部と、この弁体部の遮断弁を駆動する駆動機構を内蔵した弁駆動部とを備えたものがある。このガス遮断弁では、弁駆動部の駆動軸と遮断弁の従動軸とが連結され、弁駆動部の弁駆動用モータ等により遮断弁を回転させるように構造になっている。そして、弁体部をガス配管に接続したまま駆動部を取り外すことができるようになっている。
【先行技術文献】
【特許文献】
【０００５】
【特許文献１】特開２００７−２７０９５７号公報
【発明の概要】
【発明が解決しようとする課題】
【０００６】
前記弁駆動部と弁体部とを分離できるようなガス遮断弁では、弁駆動部の駆動軸と弁体部の従動軸とを例えば連結ピン等により連結することで弁駆動部の駆動力を遮断弁に伝達することが考えられるが、弁駆動部を取り付けたとき、連結ピン等により駆動軸と従動軸とを連結するのを忘れたり、連結が不完全であると、弁駆動部のモータが回っても弁体部へ回転が伝達されないことになり、ガス遮断弁の機能を喪失してしまう。
【０００７】
本発明は、ガス遮断弁において、弁駆動部の駆動軸と弁体部の従動軸との連結忘れがあっても弁駆動部により弁体部の遮断弁を回転できるようにすることを課題とする。
【課題を解決するための手段】
【０００８】
請求項１のガス遮断弁は、ガス配管に接続されてガスの供給及び遮断を行う遮断弁を内蔵した弁体部と、該弁体部の遮断弁を駆動する駆動機構を内蔵した弁駆動部とを備えたガス遮断弁であって、前記弁体部に内蔵された前記遮断弁の従動軸が該弁体部の外部に露出され、前記弁駆動部には該従動軸を駆動する前記駆動機構の駆動軸が該従動軸と同軸に設けられ、前記駆動軸と前記従動軸との端部に、該駆動軸及び従動軸の相対的な所定の回転位置にて軸方向に嵌合及び離脱が可能な噛み合い部が形成されるとともに、該噛み合い部が嵌合する方向に前記従動軸及び／または前記駆動軸を付勢する付勢手段を備えたことを特徴とする。
【発明の効果】
【０００９】
請求項１のガス遮断弁によれば、弁駆動部を取り付けた際に、弁駆動部の駆動軸と弁体部の従動軸とを連結し忘れても、弁駆動部で駆動軸が回転されると、駆動軸と従動軸とが相対的に所定の回転位置となると、付勢手段により噛み合い部が嵌合し、駆動軸と従動軸とが連結されるので、弁駆動部により弁体部の遮断弁を回転することができる。
【図面の簡単な説明】
【００１０】
【図１】本発明の一実施形態のガス遮断弁の一部破断正面図である。
【図２】実施形態の従動軸と駆動軸の一部拡大図である。
【図３】実施形態の従動軸と駆動軸との非連結状態及び連結状態を示す図である。
【発明を実施するための形態】
【００１１】
次に、本発明の実施の形態を図面を参照して説明する。図１は本発明の一実施形態のガス遮断弁の一部破断正面図であり、この実施形態のガス遮断弁は、弁体部１と弁駆動部２とで構成されている。
【００１２】
弁体部１は、管状の弁ハウジング３を有している。この弁ハウジング３には、図示しないガス管がネジ接続されるテーパーネジからなる第１ポート３１と第２ポート３２が形成されており、この第１ポート３１と第２ポート３２との間には、弁室３３と管路３４が形成されている。弁室３３の第１ポート３１側及び管路３４側には弁座３５，３５が配設されており、この弁室３３内には、「遮断弁」としてのボールバルブ３６が弁座３５，３５に密接するように配設されている。そして、ボールバルブ３６の従動軸４が、弁ハウジングに設けられた図示しない軸受けにより軸支され、この従動軸４の端部が弁ハウジング３の外側に露出されている。そして、この従動軸４の弁駆動部２側の端部には噛み合い部４１が形成されている。なお、弁ハウジング３には、弁駆動部２を取り付けるための取付座３Ａが形成されている。
【００１３】
弁駆動部２は、弁駆動用モータ５を内蔵した下ケース部２Ａと、回転力伝達機構６と図示しないマイコン等の制御回路を内蔵した上ケース部２Ｂとを有している。弁駆動用モータ５は下ケース部２Ａ内でその主軸５１を上ケース部２Ｂ内に突出させている。上ケース部２Ａ内の回転力伝達機構６は互いに歯合する小歯車６１と大歯車６２とで構成されており、小歯車６１は弁駆動用モータ５の主軸５１に取り付けられ、大歯車６２は軸受け２１で軸支された駆動軸７に取り付けられている。そして、この駆動軸７は、上ケース部２Ｂから弁体部１側に露出されている。そして、この駆動軸７の弁体部１側の端部には噛み合い部７１が形成されており、この駆動軸７の噛み合い部７１は従動軸４の噛み合い部４１に嵌合され、駆動軸７と従動軸４が連結されている。
【００１４】
以上の構成により、弁駆動用モータ５が正逆回転駆動され、この回転力が小歯車６１を介して大歯車６２に伝達されて大歯車６２が回転する。これにより、ボールバルブ３６の全開状態と全閉状態が切り換わる。
【００１５】
図２に示すように、従動軸４はボールバルブ３６側に連結された四角柱状のロッド４２と、このロッド４２に嵌合する四角柱状の摺動孔４３１を有するキャップ４３とを有している。キャップ４３は、摺動孔４３１内に付勢手段としてのコイルバネ４４を配設した状態でロッド４２に嵌合されている。これによりキャップ４３は駆動軸７側に付勢されている。キャップ４３の駆動軸７側の端部の噛み合い部４１は、端部周上の２箇所に突出した凸部４１ａ，４１ａを有している。また、駆動軸７の端部の噛み合い部７１は、軸Ｌと直交する方向に形成された角溝７１ａを有している。
【００１６】
図３(A) に示すように、従動軸４と駆動軸７が非連結状態のときは、従動軸４の凸部４１ａ，４１ａは駆動軸７の角溝７１ａの両脇に当接した状態となる。そして、弁駆動部２により駆動軸７が回転すると、コイルバネ４４によりキャップ４３が駆動軸７側（軸Ｌ方向）に付勢されているので、駆動軸７が従動軸４に対して所定の回転位置になると、駆動軸７の角溝７１ａ内に従動軸４の凸部４１ａ，４１ａが嵌り込み、従動軸４の噛み合い部４１と駆動軸７の噛み合い部７１が嵌合した状態となる。
【００１７】
したがって、弁駆動部２を取り付けたときに、従動軸４と駆動軸７の連結をし忘れても、駆動軸７の回転により自動的に連結される。
【００１８】
以上の実施形態では、従動軸４側のキャップ４２（噛み合い部４１）をコイルバネ４３で駆動軸７側に付勢するようにしているが、このような噛み合い部を軸Ｌ方向に付勢する構造は、駆動軸７側にて構成してもよい。
【００１９】
また、実施形態では、従動軸及び駆動肉の角噛み合い部を凸部と角溝とで構成しているが、噛み合い部としては、従動軸及び駆動軸の軸Ｌ方向に嵌合及び離脱が可能で、嵌合状態で従動軸と駆動軸とが軸Ｌ回り方向に固定関係となるような構造であればよい。
【符号の説明】
【００２０】
１    弁体部
２    弁駆動部
４    従動軸
７    駆動軸
３６  ボールバルブ（遮断弁）
４１  噛み合い部
７１  噛み合い部
【図１】
2010169136.tif 000003
【図２】
2010169136.tif 000004
【図３】
2010169136.tif 000005